【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  デジタル著作物であるコンテンツが多重化された多重化データを、その先頭部から取得して逆多重化する逆多重化装置であって、
前記多重化データは、多重化されたコンテンツの一部を格納するコンテンツ格納ボックスと前記一部のコンテンツに関連する関連情報を格納する関連情報格納ボックスとの組が複数連なるとともに、前記全てのコンテンツの再生に要する総時間長、又は前記総時間長以外の所定の内容を示す総時間長情報が前記先頭部に含まれるように構成されており、
前記逆多重化装置は、
前記多重化データを取得する取得手段と、
前記取得手段により取得された前記多重化データを前記各組ごとに逆多重化処理する処理手段と、
前記取得手段により取得された前記多重化データの先頭部に含まれる総時間長情報に基づいて、前記総時間長を特定する総時間長特定手段と、
前記総時間長特定手段により特定された総時間長を表示する表示手段とを備え、
前記総時間長特定手段は、
前記取得手段で取得された前記多重化データに前記総時間長情報が含まれているか否かを判別するとともに、前記総時間長情報が含まれていると判別したときには、さらに、前記総時間長情報が前記所定の内容を示しているか否かを判別し、
前記所定の内容を示していないと判別したときには、
前記総時間長情報により示される前記総時間長を特定し、
前記多重化データに前記総時間長情報が含まれていないと判別したとき、又は前記総時間長情報が前記所定の内容を示していると判別したときには、
前記総時間長を特定することができないと判別し、
前記表示手段は、
前記総時間長特定手段で前記総時間長が特定できないと判別されたときには、前記総時間長が不明であることを報知する
ことを特徴とする逆多重化装置。
【請求項２】  デジタル著作物であるコンテンツを多重化して多重化データを生成する多重化装置であって、
前記コンテンツを取得する取得手段と、
前記コンテンツを多重化する多重化手段と、
前記取得手段により取得されたコンテンツに基づき、前記全てのコンテンツの再生に要する総時間長、又は前記総時間長が不明であることを示す内容の総時間長情報を生成する時間長情報生成手段と、
前記多重化手段により多重化されたコンテンツの一部を格納するコンテンツ格納ボックスと前記一部のコンテンツに関連する関連情報を格納する関連情報格納ボックスとの組が複数連なるように、さらに、前記時間長情報生成手段により生成された総時間長情報が先頭部に含められるように、前記多重化データを生成するデータ生成手段と
を備えることを特徴とする多重化装置。
【請求項３】  デジタル著作物であるコンテンツが多重化された多重化データを、その先頭部から取得して逆多重化する逆多重化装置であって、
前記多重化データは、多重化されたコンテンツの一部を格納するコンテンツ格納ボックスと前記一部のコンテンツに関連する関連情報を格納する関連情報格納ボックスとの組が複数連なるとともに、前記全てのコンテンツの再生に要する総時間長を特定するための総時間長情報が前記先頭部に含まれるように構成され、さらに、前記多重化データは、そこに含まれる前記コンテンツに応じて、第１の領域、又は前記組をそれぞれ有する第１及び第２の領域から構成されており、
前記多重化データが第１の領域から構成されるときには、前記総時間長情報は、前記第１の領域に含まれるコンテンツの再生に要する時間長を示し、
前記多重化データが第１及び第２の領域から構成されるときには、前記総時間長情報は、前記第１の領域に含まれるコンテンツの再生に要する時間長を示す内容の第１の時間長情報と、前記第２の領域に含まれるコンテンツの再生に要する時間長、又は前記時間長が不明であることを示す内容の第２の時間長情報とから構成されており、
前記逆多重化装置は、
前記多重化データを取得する取得手段と、
前記取得手段により取得された前記多重化データを前記各組ごとに逆多重化処理する処理手段と、
前記取得手段により取得された前記多重化データの先頭部に含まれる総時間長情報に基づいて、前記総時間長を特定する総時間長特定手段と、
前記総時間長特定手段により特定された総時間長を表示する表示手段とを備え、
前記総時間長特定手段は、
前記取得手段で取得された前記多重化データが、第１の領域から構成されているか、第１及び第２の領域から構成されているかを判別し、
第１の領域から構成されていると判別したときには、前記総時間長情報により示される時間長を前記総時間長として特定し、
第１及び第２の領域から構成されていると判別したときには、さらに、前記第２の時間長情報に基づいて、前記第２の領域に含まれるコンテンツの再生に要する時間長が不明であるか否かを判別し、
不明でないと判別したときには、
前記第１の時間長情報により示される時間長と、前記第２の時間長情報により示される時間長とを足し合わせることで、前記総時間長を特定し、
不明であると判別したときには、
前記総時間長を特定することができないと判別し、
前記表示手段は、
前記総時間長特定手段で前記総時間長が特定できないと判別されたときには、前記総時間長が不明であることを報知する
ことを特徴とする逆多重化装置。
【請求項４】  前記多重化データの先頭部には、前記多重化データが第１及び第２の領域から構成されているか否かを示す領域特定情報が含められており、
前記総時間長特定手段は、前記領域特定情報に基づいて、前記取得手段で取得された前記多重化データが、第１の領域から構成されているか、第１及び第２の領域から構成されているかを判別する
ことを特徴とする請求の範囲第３項記載の逆多重化装置。
【請求項５】  デジタル著作物であるコンテンツを多重化して多重化データを生成する多重化装置であって、
前記コンテンツを取得する取得手段と、
前記コンテンツを多重化する多重化手段と、
前記取得手段により取得されたコンテンツに基づき、前記コンテンツの再生に要する総時間長を特定するための総時間長情報を生成する時間長情報生成手段と、
前記多重化手段により多重化されたコンテンツの一部を格納するコンテンツ格納ボックスと前記一部のコンテンツに関連する関連情報を格納する関連情報格納ボックスとの組が複数連なるように、さらに、前記時間長情報生成手段により生成された総時間長情報が先頭部に含められるように、前記多重化データを生成するデータ生成手段とを備え、
前記データ生成手段は、
前記多重化データを、前記多重化データに含まれる前記コンテンツに応じて、第１の領域、又は前記組をそれぞれ有する第１及び第２の領域から構成し、
前記時間長情報生成手段は、
前記多重化データが第１の領域から構成されるときには、前記総時間長情報を、前記第１の領域に含まれるコンテンツの再生に要する時間長を示す内容として生成し、
前記多重化データが第１及び第２の領域から構成されるときには、前記総時間長情報を、前記第１の領域に含まれるコンテンツの再生に要する時間長を示す内容の第１の時間長情報と、前記第２の領域に含まれるコンテンツの再生に要する時間長、又は前記時間長が不明であることを示す内容の第２の時間長情報とから構成する
ことを特徴とする多重化装置。
【請求項６】  前記データ生成手段は、
前記多重化データが第１及び第２の領域から構成されているか否かを示す領域特定情報を先頭部に含めて前記多重化データを生成する
ことを特徴とする請求の範囲第５項記載の多重化装置。
【請求項７】  デジタル著作物であるコンテンツが多重化された多重化データを、その先頭部から取得して逆多重化する逆多重化装置であって、
前記多重化データは、多重化されたコンテンツの一部を格納するコンテンツ格納ボックスと前記一部のコンテンツに関連する関連情報を格納する関連情報格納ボックスとの組が複数連なるとともに、前記全てのコンテンツの再生に要する総時間長を特定するための総時間長情報が前記先頭部に含まれるように構成されており、
前記逆多重化装置は、
前記多重化データを取得する取得手段と、
前記取得手段により取得された前記多重化データを前記各組ごとに逆多重化処理する処理手段と、
前記取得手段により取得された前記多重化データの先頭部に含まれる総時間長情報に基づいて、前記総時間長を特定する総時間長特定手段と、
前記総時間長特定手段により特定された総時間長を表示する表示手段と、
前記処理手段により逆多重化処理されたコンテンツを再生する再生手段と、
前記再生手段により前記コンテンツが再生されている再生時間を特定する再生時間特定手段とを備え、
前記表示手段は、
前記総時間長特定手段により特定された前記総時間長に対する、前記再生時間特定手段により特定された再生時間の割合を算出し、
所定の図形を前記割合に応じて移動させて表示する
ことを特徴とする逆多重化装置。